(57)【要約】  本発明のセルラー通信システムにおいて、ネットワークエレメントから複数の移動端末へデータを送信する一対多（point-to-multipoint；ＰｔＭ）マルチキャストサービスを提供する方法は、ネットワークエレメントから複数の移動端末へ第１及び第２のメッセージを送信するステップと、複数の構成を用いて、特定のマルチキャストサービスのためのデータを送信するステップとを含み、第１のメッセージは、複数の移動端末へデータを送信するための複数の構成を含み、第２のメッセージは、一対多送信無線ベアラーを用いて提供されるマルチキャストサービスのために、特定のマルチキャストサービスのために使用される構成に対するポインタのセットを含む。
2007518340.tif 000002
【特許請求の範囲】
【請求項１】
セルラー通信システムにおいて、ネットワークエレメントから複数の移動端末へブロードキャスト又はマルチキャストサービスに関するメッセージを送信する方法であって、
第１及び第２の通知メッセージを前記複数の移動端末へ送信するステップを含み、
前記第１及び第２の通知メッセージは、第１及び第２のサイクルをそれぞれ使用して時間が設定され、前記第１のサイクルの長さは、前記第２のサイクルの長さとは異なることを特徴とする方法。
【請求項２】
前記第１の通知メッセージは、マルチキャストサービスに関連した情報を受信する任意の状態にある移動端末へ通知するために使用されることを特徴とする請求項１記載の方法。
【請求項３】
前記第１の通知メッセージがマルチキャスト制御チャンネルを聴取することができるように、移動端末へ通知するために使用されることを特徴とする請求項１記載の方法。
【請求項４】
前記第１のサイクルは、最も長い不連続受信サイクルであることを特徴とする請求項１記載の方法。
【請求項５】
前記第２のサイクルは、前記第１のサイクルよりも短いことを特徴とする請求項１記載の方法。
【請求項６】
前記任意の状態は、ＲＲＣ＿Ｉｄｌｅモード、ＣＥＬＬ＿ＰＣＨ、ＣＥＬＬ−ＦＡＣＨ、及びＵＲＡ＿ＰＣＨモードの状態のうちの少なくとも１つを含むことを特徴とする請求項２記載の方法。
【請求項７】
前記第１のメッセージは、前記移動端末が前記第２のメッセージを受信するようにトリガーすることを特徴とする請求項１記載の方法。
【請求項８】
前記第２のメッセージは、ＭＢＭＳ制御チャンネル（ＭＣＣＨ）を介して送信されることを特徴とする請求項１記載の方法。
【請求項９】
前記ネットワークエレメントは、前記複数の移動端末へ前記第２のメッセージに対するスケジュールをシグナリングすることを特徴とする請求項１記載の方法。
【請求項１０】
前記ネットワークエレメントは、前記スケジュールに従って前記第２のメッセージを送信することを特徴とする請求項１記載の方法。
【請求項１１】
前記第１のメッセージがＭＢＭＳ通知指示子であることを特徴とする請求項１記載の方法。
【請求項１２】
前記第２のメッセージがＭＢＭＳ通知メッセージであることを特徴とする請求項１記載の方法。
【請求項１３】
前記複数の移動端末は、特定のマルチキャストサービスに関する前記第１のメッセージを発見した後に、スケジューリングされた通知イベントを聴取することを特徴とする請求項１記載の方法。
【請求項１４】
少なくとも１つ以上の前記第２のメッセージが前記第１のメッセージのサイクルで送信されることを特徴とする請求項１記載の方法。
【請求項１５】
セルラー通信システムにおいて、ネットワークエレメントから複数の移動端末へデータを送信するマルチキャストサービスに関するメッセージを送信する方法であって、
第１のサイクルに従って第１のメッセージを送信するステップと、
第２のサイクルに従ってマルチキャストチャンネルを介して第２のメッセージを送信するステップとを含み、
前記第１のメッセージは、特定のマルチキャストサービスに関心を有している移動端末がマルチキャストチャンネルを聴取するようにし、
前記第２のサイクルは、前記第１のサイクルとは異なることを特徴とする方法。
【請求項１６】
セルラー通信システムにおいて、ネットワークエレメントから複数の移動端末へデータを送信するマルチキャストサービスを提供する方法であって、
前記セルラー通信システムは、マルチキャストサービス以外の第１のサービスをマッピングさせるために第１のモデルを使用し、前記マルチキャストサービスをマッピングさせるために第２のモデルを使用し、
前記第１及び第２のモデルは、実質的に同一であることを特徴とする方法。
【請求項１７】
前記第２のモデルで、前記マルチキャストサービスが無線接続ベアラーにマッピングされることを特徴とする請求項１６記載の方法。
【請求項１８】
前記第２のモデルで、前記無線接続ベアラーが少なくても１つ以上の無線ベアラーにマッピングされることを特徴とする請求項１７記載の方法。
【請求項１９】
前記第２のモデルで、少なくとも１つ以上の前記無線ベアラーは、少なくとも１つ以上の送信チャンネルにマッピングされることを特徴とする請求項１８記載の方法。
【請求項２０】
前記第２のモデルで、少なくとも１つ以上の前記送信チャンネルは、少なくとも１つ以上の物理チャンネルにマッピングされることを特徴とする請求項１９記載の方法。
【請求項２１】
セルラー通信システムにおいて、ネットワークエレメントから複数の移動端末へデータを送信する一対多マルチキャストサービスを提供する方法であって、
前記ネットワークエレメントから前記複数の移動端末へ第１及び第２のメッセージを送信するステップと、
複数の構成を使用して特定のマルチキャストサービスのためのデータを送信するステップとを含み、
前記第１のメッセージは、前記複数の移動端末へ前記データを送信するための前記複数の構成を含み、
前記第２のメッセージは、一対多送信無線ベアラーを用いて提供されるマルチキャストサービスのために、特定のマルチキャストサービスのために使用される前記構成に対するポインタセットを含むことを特徴とする方法。
【請求項２２】
前記複数の構成の各々は、無線ベアラー構成と、送信チャンネル構成と、物理チャンネル構成とを含むことを特徴とする請求項２１記載の方法。
【請求項２３】
前記第１のメッセージは、マルチキャスト制御チャンネルを介して送信されることを特徴とする請求項２１記載の方法。
【請求項２４】
前記第２のメッセージは、マルチキャスト制御チャンネルを介して送信されることを特徴とする請求項２１記載の方法。
【請求項２５】
前記第１のメッセージを送信する頻度は、前記第２のメッセージを送信する頻度とは異なることを特徴とする請求項２１記載の方法。
【請求項２６】
前記第１のメッセージは、ＭＢＭＳサービス使用可能性メッセージであることを特徴とする請求項２１記載の方法。
【請求項２７】
前記第２のメッセージは、ＭＢＭＳ無線ベアラー情報メッセージであることを特徴とする請求項２１記載の方法。
【請求項２８】
通信システムにおいて、一対多ブロードキャスト又はマルチキャストサービスに関するメッセージを複数の移動端末へシグナリングする方法であって、
サービス特定情報を含む第１のメッセージを送信するステップと、
無線資源構成に関連した情報を含む第２のメッセージを送信するステップとを含み、
前記第２のメッセージは、前記サービス特定情報を含まないことを特徴とする方法。
【請求項２９】
通信システムにおいて、一対多ブロードキャスト又はマルチキャストサービスに関するメッセージを複数の移動端末へシグナリングする方法であって、
サービス特定情報を含む第１のメッセージを送信するステップと、
無線資源構成に関する情報を含む第２のメッセージを送信するステップとを含み、
前記第２のメッセージは、少なくとも１つ以上の異なるブロードキャスト、及び／又はマルチキャストサービスに対して使用されることを特徴とする方法。
【請求項３０】
前記第２のメッセージは、可能な無線ベアラー構成のリスト、可能な送信チャンネル構成のリスト、及び／又は、可能な物理チャンネルのリストを含むことを特徴とする請求項２９記載の方法。
【請求項３１】
前記第１のメッセージは、前記ベアラー構成のうちの１つ、前記送信チャンネル構成のうちの１つ、及び／又は、物理チャンネルのうちの１つに対するポインタを含むことを特徴とする請求項３０記載の方法。
【請求項３２】
前記第１のメッセージは、前記第２のメッセージよりもさらに頻繁に送信されることを特徴とする請求項２８記載の方法。
【請求項３３】
通信システムにおいて、一対多ブロードキャスト又はマルチキャストサービスに関するメッセージを複数の移動端末へシグナリングする方法であって、
サービス特定情報及び無線資源構成に関する情報を含むメッセージを送信することを特徴とする方法。
【請求項３４】
前記ブロードキャスト又はマルチキャストサービスがマルチメディアブロードキャストマルチキャストサービス（ＭＢＭＳ）であることを特徴とする請求項１乃至請求項３３のうちのいずれか１項に記載の方法。
【請求項３５】
前記ブロードキャスト又はマルチキャストサービスがＵＭＴＳ標準に従うことを特徴とする請求項１乃至請求項３３のうちのいずれか１項に記載の方法。
【請求項３６】
ネットワーク部分及び複数の移動端末を具備するセルラー通信システムであって、前記システムは、請求項１乃至請求項３３のうちのいずれか１項に従う方法を実施するためのシステムであることを特徴とするシステム。
【発明の詳細な説明】
【技術分野】
【０００１】
本発明は、通信システムにおいて、ブロードキャスト又はマルチキャストサービスに関し、特に、ＵＭＴＳ（Universal Mobile Telecommunications Service）無線接続ネットワークにおいてマルチキャストブロードキャストサービスの実現に関するが、これらに限定されない。ＵＭＴＳは、広帯域符号分割多元接続（Wideband Code Division Multiple Access；Ｗ−ＣＤＭＡ）技術を使用した第３世代の無線ネットワークに関する。
【背景技術】
【０００２】
セルラー通信システムは、ＵＭＴＳの場合に対して、図１に示すように、移動ユーザ端末（User Equipment；ＵＥ）と、無線接続ネットワーク（Radio Access Network；ＲＡＮ）と、１つ以上のコアネットワーク（Core Network）とを含む。上記第３世代のセルラー通信システムの構成に関する詳細な内容は、３ＧＰＰ標準（“ＵＴＲＡＮ Ｏｖｅｒａｌｌ Ｄｅｓｃｒｉｐｔｉｏｎ”，３ＧＰＰ ＴＳ２５．４１）及び関連標準に開示されている。ＵＥとＵＴＲＡＮとの間の通信は、Ｕｕインターフェース（Ｕｕ）を介して提供されているが、ＵＴＲＡＮとコアネットワークとの間の通信は、Ｉｕインターフェース（Ｉｕ）を介して提供されている。
【０００３】
無線接続ネットワークは、基地局及び無線網制御器又は基地局制御器（（Radio Network Controller；以下、‘ＲＮＣ’と称する）／（Base Station Controller；以下、‘ＢＳＣ’と称する））を含む。基地局は、セルと呼ばれる特定の地理的な地域を含みながら、無線インターフェースを介して実際の通信を処理する。無線網制御器は、自身に接続された基地局を制御し、付加的に他の機能、例えば、無線資源の割当て及び地域（local）移動の制御のような機能を遂行する。ＲＮＣは、Ｉｕインターフェースを介して１つ以上のコアネットワークに接続され、Ｉｕｂインターフェースを介して多くの基地局（ＵＴＲＡＮでは、Ｎｏｄｅ Ｂ）に接続され、Ｉｕｒインターフェースを介しては、１つ以上の他のＲＮＣに接続されることができる。上記コアネットワークは、ＳＧＳＮ（Serving GPRS（General Packet Radio Service）Support Node）及びブロードキャスト／マルチキャストサービスセンター（Broadcast/Multicast-Service Center）を含む。上記ＢＭ−ＳＣは、上記ＭＢＭＳサービスを通して送信されるデータの分配を制御する。
【０００４】
ＵＭＴＳネットワークのような第３世代（3rd Generation；以下、‘３Ｇ’と称する）の通信ネットワークがマルチメディアブロードキャストマルチキャストサービス（Multimedia Broadcast Multicast Services；ＭＢＭＳ）を提供する。ＭＢＭＳは、オーディオ（Audio）、イメージ（Image）、及びビデオ（Video）のようなマルチメディアが単方向ベアラーサービス（Unidirectional bearer service）を用いて、１つのソースエンティティー（Source entity）から複数の受信者へ送信される一対多（point-to-multipoint：ＰｔＭ）サービスである。上記ＭＢＭＳベアラーサービスは、ブロードキャストモード及びマルチキャストモードをすべて提供する。上記ブロードキャストモードでは、データがすべてのユーザへブロードキャストされる。一方、マルチキャストサービスを受信するために、ユーザは、サービスプロバイダーの特定のＭＢＭＳサービス又はＭＢＭＳサービスのグループに加入しなければならない。すると、サービスの運営者は、使用可能な領域に対して、ＭＢＭＳサービスをユーザに通知するために、上記サービスを公示（announce）するか、又は、サービスディスカバリー（Discovery）メカニズムを使用することができる。ユーザが特定のＭＢＭＳサービスに関心があると、上記ユーザは、上記サービスに参加（Join）する。すなわち、上記ユーザは、ＭＢＭＳマルチキャストサービスを活性化する。このような方式にて、ユーザは、特定のマルチキャストグループのメンバーとなり、ユーザが特定のＭＢＭＳサービスのＭＢＭＳデータを受信することを望むネットワークに表示される。
【０００５】
同一のデータを複数の受信者へ送信するためには、ネットワークリソースが共有されなければならない。この点において、上記ＭＢＭＳの構成は、無線ネットワーク及びコアネットワークリソースを効率的に使用可能であるように考案される。
【０００６】
ＭＢＭＳセッションを初期化するために、ＣＮは、ＲＮＣにセッション開始（Session Start）の命令を送信する。上記セッション開始の命令は、コアネットワークが特定のＭＢＭＳサービスに関連したデータを送信する準備ができていることを示すために使用される。上記セッション開始の命令の送信によって、ＭＢＭＳデータの送信のためのベアラーリソースが設定される。上記セッション開始は、ユーザによってサービスが個別的に活性化されるようにする点に留意すべきである。これは、ユーザがセッション開始の前、あるいは、セッション開始の後に、特定のサービスを活性化することができることを意味する。
【０００７】
上記セッション開始の命令を受信した後に、ＲＮＣは、進行予定であるか、あるいは、進行中であるＭＢＭＳマルチキャストデータの送信に対して、ユーザ端末へ知らせるために、ＭＢＭＳ通知を上記ユーザ端末へ送信する。ＲＮＣは、無線資源の使用を管理し、ＭＢＭＳデータを無線インターフェースで形成された一対多（ＰｔＭ）送信モードで送信するか、又は一対一(point-to-point：ＰｔＰ)送信モードで送信するかを決定する。セル内に十分なユーザ端末が存在すると、上記一対多送信モードがもっとも効率的である。しかしながら、セル内にあるユーザの数が少ないと、一対一送信モードがもっとも効率的である。使用される送信モードを決定するために、ＲＮＣは、カウンティング（counting）動作を遂行することができる。その後に、特定のＭＢＭＳサービスに関連したマルチメディアデータがデータの送信区間で、ＲＮＣを経由してＣＮからＵＥへ送信される。
【０００８】
ＢＭ−ＳＣが送信されるデータがこれ以上存在しないと決定すると、ＣＮは、ＲＮＣへセッション中止の命令を送信し、ベアラーリソースを解除する。
【０００９】
ユーザがこれ以上特定のＭＢＭＳサービスに関心を有していないと、ユーザは、上記サービスを非活性化する。従って、ユーザがこれ以上特定のＭＢＭＳベアラーサービスのマルチキャストモードデータの受信を所望しないと、上記ユーザは、マルチキャストグループから離れる。
【００１０】
サービスに参加した後に離れる加入区間は、ユーザごとに個別的に遂行されることに留意すべきである。そして、通知及びデータ送信のような他の区間は、特定のサービスに対して、すなわち、関連サービスに関心があるすべてのユーザに対して遂行される。
【００１１】
３ＧＰＰ（３rd Generation Partnership Project）ＲＡＮ２ Ｍｅｅｔｉｎｇ Ｎｕｍｂｅｒ ３９（２００３年１１月１７日から２１日まで）の以後は、ＭＢＭＳがＵｕインターフェースでどのように処理されるものであるかに対する状況がさらに明確になった。ＲＡＮ２において、ＭＢＭＳ実見の現在状態は、３ＧＰＰ標準（“Introduction of Multimedia Broadcast Multicast Service（ＭＢＭＳ） in the Radio Access Network（ＲＡＮ）”）（ＴＳ ２５．３４６．ｖ２．４．０）に開示されている。
【発明の開示】
【発明が解決しようとする課題】
【００１２】
上記背景に鑑みて、本発明の目的は、ブロードキャスト又はマルチキャストサービスが処理される方式を改善することにある。
【課題を解決するための手段】
【００１３】
このような目的を達成するために、本発明の１つの見地によると、セルラー通信システムにおいて、ネットワークエレメントから複数の移動端末へブロードキャスト又はマルチキャストサービスに関連するメッセージを送信する方法は、第１及び第２の通知メッセージを上記複数の移動端末へ送信するステップを含み、このようにして、上記第１及び第２の通知メッセージは、第１及び第２のサイクルを用いて各々時間が設定され、上記第１のサイクルの長さを上記第２のサイクルの長さと異ならせる。
【００１４】
このような方法にて、さらに柔軟性あるシステムが第２のサイクルを導入することによって提供される。好ましくは、上記第１の通知メッセージがマルチキャストサービスに関連した情報を受信するための状態で、移動端末へ通知するために使用される。
【００１５】
このような方法にて、上記第１の通知メッセージは、１つ以上のブロードキャスト、又はマルチキャストサービスに関する変更を示すために使用されることができ、低電力の消耗状態から移動端末を覚まさせる（wake up）ために使用されることができる。
【００１６】
好ましくは、上記第１のサイクルの長さは、上記第２のサイクルの長さよりもさらに長い。この点において、上記第１のサイクルのサイクル長さは、この場合の状態での電力消耗を減少させるのに助けになる。
【００１７】
好ましくは、上記第１の通知メッセージが、ユーザ端末が関心を有しているサービスを含んでいることを発見したユーザ端末は目覚めて、第２のサイクルに従って第２の通知メッセージを読み出し始める。
【００１８】
このような方法にて、上記第２の通知メッセージにある情報をさらに頻繁に更新するようにする、さらに短いサイクルが特定のブロードキャスト又はマルチキャストサービスに関心を有しているユーザ端末のみに使用されることができる。これは、他のユーザ端末の電力消費には、何らの影響を及ぼさない。
【００１９】
上記第２の通知メッセージの特別な使用は、ＵＥをカウントするために使用される更新された情報を提供するものである。上記カウンティング手順の間に、上記第２の通知メッセージが送信されるときごとに、上記メッセージが新たに、さらに高い確率要素（factor）を含むことができる。このような要素の機能は、ＵＥが任意の数を選んだ時、上記数が受信された確率要素よりも低い数であると、ＵＥが上記カウンティング要求に応答するようにするものである。
【００２０】
上記カウンティング手順の前は、ネットワーク（ＵＴＲＡＮ）がセルにあるＵＥの正確な数が分からない。上記ネットワークは、上記カウンティング手順を低い確率要素で始める。その次に、無線インターフェースにおいて、一対多送信モードを使用するかを決定することができるほど、十分な応答を受信するか、又は、確率要素が１となるように上昇する時まで、上記応答を受信した数に従って上記確率要素が徐々に上昇する。
【００２１】
このような方法にて、上記ＵＴＲＡＮが応答するＵＥの数を制限することができる。
【００２２】
上述したように、第２のサイクルの長さは、好ましくは、第１のサイクルの長さよりもさらに短い。
【００２３】
このような方法にて、マルチキャストサービスを設定するために必要とされる全体の時間を短縮することができる。好ましくは、カウンティング手順による遅延が短縮されることができ、通知メッセージから送信された情報が、さらに短い時間区間で更新されるか、又は、変更されることができる。これは、例えば、カウンティング手順に対する応答の確率要素が、セッション開始を処理する間に更新される必要がある場合に特に有用である。
【００２４】
第２の通知メッセージに対してさらに短い間隔を使用することによって、さらに多くの通知メッセージが、与えられた時間区間の間に送信されることができる。これは、通知メッセージが上記カウンティング手順の間に使用される時にロード（load）を分散させるのに助けになる。平均的に、一定数のカウンティング手順が要求されるので、カウンティング動作は、上記第２の通知メッセージに対するさらに短いサイクルを使用することによって、さらに速く遂行されることができる。複数のＭＣＣＨ通知イベント（event or occasions）の使用は、ＵＥの不連続受信（Discontinuous Reception；以下、‘ＤＲＸ’と称する）サイクルごとに、単一のＭＣＣＨ通知イベントを提供する従来のＭＢＭＳサービスに比べて、ＵＥから第１の応答反応をさらに早く始めることができる、という長所がある。
【００２５】
本発明の他の見地によると、セルラー通信システムにおいて、ネットワークエレメントから複数の移動端末へデータを送信するマルチキャストサービスに関するメッセージを提供する方法を提案する。上記方法は、第１のサイクルに従う第１のメッセージを送信するステップと、第２のサイクルに従うマルチキャストチャンネルを介して第２のメッセージを送信するステップとを含む。ここで、上記第１のメッセージは、特定のマルチキャストサービスに関心のある複数の移動端末がマルチキャストチャンネルを聴取するように誘導し、上記第２のサイクルは、上記第１のサイクルとは異なることを特徴とする。
【００２６】
本発明のさらなる見地によると、セルラー通信システムにおいて、複数の移動端末へ一対多ブロードキャスト又はマルチキャストサービスに関するメッセージをシグナリングする方法は、サービスの特定の情報を含む第１のメッセージを送信するステップと、無線資源の構成に関する情報を含む第２のメッセージを送信するステップとを含み、上記第２のメッセージは、少なくとも１つ以上の異なるブロードキャスト、及び／又はマルチキャストサービスに対して使用されることを特徴とする。
【００２７】
本発明のもう１つの見地によると、セルラー通信システムにおいて、ネットワークエレメントから複数の移動端末へデータを送信するためのマルチキャストサービスを提供する方法を提案する。ここで、上記セルラー通信システムは、マルチキャストサービス以外の第１のサービスをマッピング（mapping）するための第１のモデルと、上記マルチキャストサービスをマッピングするための第２のモデルとを使用するが、上記第１及び第２のモデルは、実質的に同一である。
【００２８】
好ましくは、上記モデルで、マルチキャストサービスが１つの無線接続ベアラーにマッピングされる。
【００２９】
好ましくは、上記第２のモデルで、無線接続ベアラーは、少なくとも１つ以上の無線ベアラーにマッピングされる。
【００３０】
好ましくは、上記第２のモデルで、少なくとも１つ以上の無線ベアラーは、少なくとも１つ以上の送信チャンネルにマッピングされる。
【００３１】
好ましくは、上記第２のモデルで、少なくとも１つ以上の送信チャンネルは、少なくとも１つ以上の物理チャンネルにマッピングされる。
【００３２】
本発明のさらに他の見地によると、セルラー通信システムにおいて、１つのネットワークエレメントから複数の移動端末へデータを送信するための一対多マルチキャストサービスを提供する方法は、１つのネットワークエレメントから上記複数の移動端末へ第１及び第２のメッセージを送信するステップと、上記構成を用いて、特定のマルチキャストサービスに対するデータを提供するステップとを含み、上記第１のメッセージは、上記複数の移動端末へ上記データを送信するための複数の構成を含み、上記第２のメッセージは、一対多送信無線ベアラーを用いて提供されているマルチキャストサービスのために、特定のマルチキャストサービスに対して使用される上記構成に対するポインタのセットを提供することを特徴とする。
【００３３】
このような方法にて、ブロードキャスト又はマルチキャストメッセージに対する無線資源の設定に関する無線メッセージのシグナリングは、一層さらに効率的である。
【００３４】
例えば、上記第２のメッセージよりもさらに頻繁に第１のメッセージを送信することによって、上記第２のメッセージは、少なくとも１つ以上の異なるブロードキャスト又はマルチキャストサービスのために再使用されることができる。
【００３５】
本発明のなおさらに他の見地によると、セルラー通信システムにおいて、複数の移動端末へ一対多ブロードキャスト、又はマルチキャストサービスに関するメッセージをシグナリングする方法は、サービスの特定の情報を含む第１のメッセージを送信するステップと、無線資源の構成に関連した情報を含む第２のメッセージを送信するステップとを含み、上記第２のメッセージは、サービスの特定の情報を含まないことを特徴とする。
【００３６】
このような方法にて、無線構成メッセージに含まれた上記構成は、少なくとも１つ以上の異なるブロードキャスト、及び／又はマルチキャストサービスによって使用されることができる。
【００３７】
このような方法にて、少なくとも１つ以上のサービスに対して使用される構成情報の重複（duplication）を防止することができる。また、そのようなメッセージの構成は、マルチキャスト、及び／又は、ブロードキャストサービスの（時々長さで識別する）識別子のようなサービスの特定の情報の重複も防止することができる。提案されたメッセージの根源（Organisation）に従って、このような情報は、上記サービス情報メッセージに含まれなければならない。
【００３８】
上述したように、２つの分類されたメッセージの使用は、１つのメッセージを他のメッセージよりもさらに頻繁に送信することができるようにするが、これは、あるシナリオでは長所になることもある。
【００３９】
本発明のそれ以上の他の見地によると、セルラー通信システムにおいて、複数の移動端末へ一対多ブロードキャスト又はマルチキャストサービスに関するメッセージをシグナリングする方法は、サービスの特定の情報及び無線資源の構成に関する情報を含むメッセージを送信するステップを含む。
【発明の効果】
【００４０】
本発明の実施形態によると、ＭＢＭＳセッションのための情報を提供するＭＢＭＳ通知メッセージを送信するにあたって、長いＵＥ ＤＲＸサイクルよりもさらに短いＭＣＣＨ通知イベント間隔で送信するメッセージを使用することによって、ＭＢＭＳセッションを設定するために必要とされる時間を短縮させることができる、という長所がある。
【発明を実施するための最良の形態】
【００４１】
以下、本発明の望ましい実施形態を添付の図面を参照しつつ詳細に説明する。図面の説明において、同一の構成要素に対してはできるだけ同一の参照符号及び参照番号を付して説明する。
【００４２】
図２は、無線接続ネットワーク（ＲＡＮ）の構成を示す。ＲＡＮは、ＵＴＲＡＮでのＮｏｄｅ Ｂのような基地局２とＢＳＣとも呼ばれるＲＮＣ４とを含む。基地局２は、セルとも呼ばれる特定の地理学的な地域を含みながら、無線インターフェースを介して実際の通信を処理する。ＲＮＣ４は、自身に接続された基地局２を制御し、例えば、無線資源の割当て、すなわち、地域的な移動性（local mobility）のような作業（Task）に対する他の機能を遂行する。ＲＮＣ４は、少なくとも１つ以上のネットワーク８にＩｕインターフェース１２を介して接続され、Ｉｕｂインターフェース１０を介して多くの基地局２に接続され、Ｉｕｒインターフェース１４を介して少なくとも１つ以上の他のＲＮＣ４に接続されることができる。
【００４３】
ＵＭＴＳネットワークにおいて、無線資源制御（Radio Resource Control；以下、‘ＲＲＣ’と称する）プロトコルは、無線インターフェース上で、すなわち、ＵＥとＵＴＲＡＮとの間で使用される。このようなプロトコルエンドポイント（end point）は、プロトコルパラメータを交換することによって、そして、少なくとも１つ以上の情報エレメントを構成するメッセージを送信することによって相互に作用する。
【００４４】
ＭＢＭＳセッションを設定するために、ＲＮＣは、ＣＮからそれぞれの要求を受信する。このようなＭＢＭＳセッション開始要求（ＭＢＭＳ Ｓｅｓｓｉｏｎ Ｓｔａｒｔ Ｒｅｑｕｅｓｔ）は、ＭＢＭＳサービス識別子（ＭＢＭＳ Ｓｅｒｖｉｃｅ Ｉｄｅｎｔｉｆｉｃａｔｉｏｎ）を含み、ＭＢＭＳベアラーサービスタイプ（ＭＢＭＳ Ｂｅａｒｅｒ Ｓｅｒｖｉｃｅ Ｔｙｐｅ）及びＭＢＭＳサービス地域情報（ＭＢＭＳ Ｓｅｒｖｉｃｅ Ａｒｅａ Ｉｎｆｏｒｍａｔｉｏｎ）、又はサービス品質（Ｑｕａｌｉｔｙ ｏｆ Ｓｅｒｖｉｃｅ）パラメータのようなＭＢＭＳセッション特性（ＭＢＭＳ Ｓｅｓｓｉｏｎ Ａｔｔｒｉｂｕｔｅｓ）を明示する。ＲＮＣがＭＢＭＳセッション開始要求を受信した後に、ＲＮＣは、特定のＭＢＭＳサービスに関心を有しており、上記特定のＭＢＭＳサービスを活性化したＵＥへ通知する。
【００４５】
上記ＭＢＭＳセッション開始要求は、ＭＢＭＳ無線接続ベアラー（Radio Access Bearer；以下、‘ＲＡＢ’と称する）を設定するために要求されるすべての情報を含む。上記セッション開始メッセージを受信した時、ＲＮＣは、Ｉｕインターフェースを介してＭＢＭＳデータベアラーが設定されるようにし、この後に、ＭＢＭＳセッション開始応答メッセージの上記設定の結果を送信側のＣＮへ通知する。
【００４６】
その後に、特定のＭＢＭＳサービスに対するデータが上記ネットワークとＵＥとの間にあるＭＢＭＳ ＲＡＢを介して送信される。
【００４７】
ＲＮＣとＵＥとの間の接続を設定するために、Ｉｕｂインターフェースを介して、既存の順方向接続チャンネル（Forward Access Channel；以下、‘ＦＡＣＨ’と称する）の送信チャンネルメカニズムは、一対多ＭＢＭＳ送信である場合に使用される。一対多接続は、１つのセルにある接続されたＭＢＭＳユーザの数が、運営者によって定義されたしきい値を超過すると設定される。一方、一対一接続は、他の専用サービスに対して定義されたように、ＤＴＣＨを介して設定される。
【００４８】
ＣＮは、類似している方法にて、ＭＢＭＳセッション中止命令をＲＮＣへ送信し、この後に、ＲＮＣは、上記ＭＢＭＳに関心を有しており、活性化されたＵＥへＭＢＭＳセッション終了を通知する。ＲＮＣがＭＢＭＳセッション中止要求（ＭＢＭＳ Ｓｅｓｓｉｏｎ Ｓｔｏｐ Ｒｅｑｕｅｓｔ）を受信すると、ＲＮＣは、関連したＭＢＭＳ ＲＡＢ資源を解除する。
【００４９】
図３は、ＭＢＭＳセッションの間に発生する主なイベントのシーケンスを示す。さらに詳細な説明は、３ＧＰＰ標準（ＴＳ ２５．３４６）に開示されている。上記セッションは、セッション開始（ＳＥＳＳＩＯＮ ＳＴＡＲＴ）メッセージ１０１がＩｕインターフェースを介してＵＴＲＡＮによって受信された時に開始され、セッション中止（ＳＥＳＳＩＯＮ ＳＴＯＰ）メッセージ１１７がＩｕインターフェースを介して受信された時に終了される。
【００５０】
セッション開始メッセージ１０１の後に、ＵＴＲＡＮは、ＲＲＣ＿ｉｄｌｅ、ＣＥＬＬ＿ＰＣＨ、ＵＲＡ＿ＰＣＨ、及びＣＥＬＬ＿ＦＡＣＨ状態にあるＵＥを覚まさせるために、ＭＢＭＳ通知指示子（Notification Indicator；以下、‘ＮＩ’と称する）１０３を送信する。ＭＢＭＳ ＮＩｓ１０３は、ＭＢＭ通知指示子チャンネル（ＭＢＭＳ Ｎｏｔｉｆｉｃａｔｉｏｎ Ｉｎｄｉｃａｔｏｒ Ｃｈａｎｎｅｌ；以下、‘ＭＩＣＨ’と称する）を介して送信される。従来の（Ｒ９９）ページングに使用される正常のＵＥ ＤＲＸサイクルに対するページングイベントのような正常のページングイベントからＵＥが覚めて、ＭＢＭＳ ＮＩを探さなければならない。その結果、上記ネットワークにより送信されたＭＢＭＳ通知指示子１０３は、少なくとも１つ以上のＵＥ ＤＲＸサイクルの間に連続して反復されなければならない。
【００５１】
ＵＥが関心を有しているＭＢＭＳサービスに対するＭＢＭＳ ＮＩ１０３が設定されたことをＵＥが発見すると、ＵＥは、ＭＢＭＳ一対多制御チャンネル（ＭＢＭＳ ｐｏｉｎｔ−ｔｏ−ｍｕｌｔｉｐｏｉｎｔ Ｃｏｎｔｒｏｌ  Ｃｈａｎｎｅｌ；ＭＣＣＨ）を聴取する。３ＧＰＰ標準（ＴＳ ２５．３４６）に明確に開示されていないが、ＭＣＣＨ上の送信がスケジュールされるはずであることは、同意されてきた。従って、ある明示された区間の間に、ＭＢＭＳ ＮＩ１０３を受信しているすべてのＵＥは、特定の場合に、すなわち、本発明でＭＣＣＨ通知イベントと称される場合に、ＭＣＣＨをすべて聴取するようになるはずである。明示された上記区間は、通常、最も長いＵＥ ＤＲＸサイクルである。ＭＣＣＨ通知イベントの構成は、ＢＣＣＨ又はＭＣＣＨを介してブロードキャストされると仮定する。
【００５２】
ＭＣＣＨ通知イベントで、ＤＲＸサイクルごとに送信されたメッセージは、ＭＢＭＳ通知（ＭＢＭＳ ＮＯＴＩＦＩＣＡＴＩＯＮ）メッセージ１０５である。メッセージ１０５は、セッション開始では、通常、まず開始されるセッションに関心のあるＵＥの、いわゆる“カウンティング確率”である一定のパーセントがＲＲＣ接続を設定することによって応答するかを示しつつ、カウンティング手順を遂行するはずである。ＭＢＭＳ通知メッセージは、３ＧＰＰ標準（ＴＳ ２５．３４６）に開示されていないことに留意する。
【００５３】
ＵＥがＭＢＭＳ通知メッセージ１０５ａを受信した後、ＵＥは、カウンティングプロセスが遂行されるように、ＣＮへのＲＲＣ接続を設定するための要求１１３を送信する。要求１１３は、ＵＥが関心を有しているサービスを識別するサービス識別子（Service Identification；ＩＤ）を含む。上記要求に対する応答として、ＣＮは、ＵＥが関心を有しているＭＢＭＳサービスを識別し、Ｉｕインターフェースを介してＭＢＭＳリンク設定要求メッセージ（ＭＢＭＳ Ｌｉｎｋｉｎｇ Ｒｅｑｕｅｓｔ Ｍｅｓｓａｇｅ）１１５を送信する。
【００５４】
ＵＥは、“関心ある” ＭＢＭＳ ＮＩ１０３を受信すると、ＵＥは、ＭＣＣＨ通知イベントでＭＣＣＨを聴取する。このような点において、“関心ある” ＭＢＭＳ ＮＩは、ＵＥが参加したＭＢＭＳサービスのうちのいずれかに関連したＮＩを意味する。第１のＭＢＭＳ通知メッセージ１０５ａが送信された後に、少なくとも１つ以上の後続ＭＢＭＳ通知メッセージ１０５ｂが異なるカウンティング確率を含むことができる。このような方法にて、ＵＴＲＡＮは、ＭＢＭＳサービスが一対一モードで提供されなければならないか、あるいは、一対多モードで提供されなければならないかを決定する。後続カウンティングサイクルにおいて、さらに高いカウンティング確率を有することによって、ＵＴＲＡＮは、１つのセル内のどのくらい多くのＵＥが特定のＭＢＭＳサービスに関心を有しているかに対して、漸次のアイディア（gradual idea）を取得することができ、上記ＭＢＭＳサービスが一対一で提供されるか、あるいは一対多で提供されるかを決定することができる。
【００５５】
ＵＴＲＡＮが上記一対一／一対多の決定をすると、カウンティングプロセスは中止される。一対一モードで決定されると、関心のあるＵＥは、無線ベアラー設定メッセージを受信する。図３は、上記サービスが一対多モードで提供されている場合を示す。この場合に、ＵＴＲＡＮは、ＭＢＭＳサービス情報（ＭＢＭＳ ＳＥＲＶＩＣＥ ＩＮＦＯＲＭＡＴＩＯＮ）メッセージ１０７及びＭＢＭＳ無線ベアラー情報（ＭＢＭＳ ＲＡＤＩＯ ＢＥＡＲＥＲ ＩＮＦＯＲＭＡＴＩＯＮ）メッセージ１０９を送信することによって、ＭＢＭＳ一対多トラヒックチャンネル（ＭＢＭＳ  Ｐｏｉｎｔ−Ｔｏ−Ｍｕｌｔｉｐｏｉｎｔ Ｔｒａｆｆｉｃ Ｃｈａｎｎｅｌ；以下、‘ＭＴＣＨ’と称する）を構成し、ＭＣＣＨを更新する。上記２つのメッセージは、上記ＭＢＭＳサービスに対するサービス識別子及び無線接続情報を含む。
【００５６】
上記ＵＥがＭＢＭＳサービス情報メッセージ１０７及びＭＢＭＳ無線ベアラー情報メッセージ１０９を読み出した後、ＵＥが対応するＭＴＣＨ上のＭＢＭＳデータ送信１１１を読み出すことができる。
【００５７】
ＭＢＭＳセッションの送信が終了され、セッション中止（ＳＥＳＳＩＯＮ ＳＴＯＰ）メッセージ１１７がＩｕインターフェースを介して受信されると、一対一の場合には、無線ベアラー解除メッセージによって、あるいは、一対多の場合には、セッション中止通知１２１によってセッション中止について通知される。すべてのＵＥがセッション中止通知の発見を確実にするために、ＵＴＲＡＮは、ＭＢＭＳ ＮＩ１１９を再送信し、このようにして、関心のあるＵＥがＭＣＣＨを聴取する。
【００５８】
ＭＣＣＨ通知イベント間隔の使用
【００５９】
図３に示すように、上記記載された解決方案は、（最も長い）ＵＥ ＤＲＸサイクルのようなＭＣＣＨ通知イベント間の固定された区間で、ＭＣＣＨ通知イベントごとに、１つのＭＣＣＨ通知メッセージを提供する。これは、１つのＤＲＸサイクルでＭＢＭＳ ＮＩを受信するすべてのＵＥが同一のＭＣＣＨメッセージを読み出すため、簡素であり自然な方案である。
【００６０】
しかしながら、このような接近方法は、ＭＢＭＳ ＮＩが特定のＭＢＭＳセッションに対して送信されなければならない総時間区間が相対的に長くなる、という短所がある。
【００６１】
例えば、ＭＢＭＳ ＮＩを送信するエラー率（error rate）が１％であり、ＭＣＣＨ通知イベント間の間隔が１．２８秒のＵＥ ＤＲＸサイクルで同一であると仮定する。さらに、ＵＴＲＡＮは、ＭＢＭＳセッションが一対一モードで送信されるか、あるいは、一対多モードで送信されるかを決定するためには、異なるカウンティング確率を有する３個のサイクルを必要とすると仮定する。
【００６２】
ＭＢＭＳ ＮＩエラー率によって、ＭＢＭＳ ＮＩは、一対多モードで決定される場合、少なくとも２つの異なるＤＲＸサイクルの間に設定されなければならない。従って、セッション開始において、総５つのＵＥ ＤＲＸサイクル（３＋２）の間に対応するＭＢＭＳ ＮＩを設定しなければならない。７秒以上の連続的なＭＢＭＳ ＮＩが設定されなければならない。すべてのＵＥにセッション終了を通知すべき２個のＤＲＸサイクルを含むと、ＭＢＭＳ ＮＩは、セッション当たりの総１０秒以上を設定するはずである。
【００６３】
従って、最も長いＵＥ ＤＲＸ区間とは異なるＭＣＣＨ通知イベント間隔を提供することが有利である。ＭＣＣＨ通知イベント間隔が最も長いＵＥ ＤＲＸサイクルよりもさらに短いものが使用されると、ＭＢＭＳセッションを設定するするために必要とされる総時間を短縮させることができる。
【００６４】
第１の実施形態
【００６５】
本発明の望ましい第１の実施形態に従うと、本発明は、付加的なＭＣＣＨ通知イベントを提供することによって達成することができる。ネットワークがＵＥへＭＣＣＨ通知イベントスケジュールをシグナリングする。上記スケジュールをシグナリングするために、例えば、ＢＣＣＨが使用されることができる。また、１つのＭＣＣＨ通知イベントのみを聴取する代わりに、ＵＥがＭＢＭＢ ＮＩを発見する瞬間から次の専用ページングイベントまで、すべてのスケジューリングされたＭＣＣＨ通知イベントを聴取する。このような方法にて、正常のＤＲＸサイクルより短いＭＣＣＨ通知イベントの間隔がなされることができる。
【００６６】
図４は、正常のＤＲＸサイクルの半分だけのＭＣＣＨ通知イベント間隔を有するＭＢＭＢセッションのためのメッセージングを示す。図３で使用された同一の参照符号が対応するメッセージに使用される。
【００６７】
ＵＥ ＤＲＸサイクルの半分の後に、第２のＭＣＣＨ通知メッセージ１０５ｂが第１のメッセージ１０５ａに続くことが示されている。従って、ＭＢＭＳ通知ＤＲＸサイクルの区間は、最も長いＵＥ ＤＲＸサイクルの半分である。このような方法にて、セッションが一対多モードでブロードキャストされることを示すカウンティング過程で導入された遅延、すなわち、セッション開始メッセージ１０１からＭＢＭＳ通知１０５ｃまでが、図３に示すように、従来のＭＢＭＳセッションで３サイクルではない２サイクルである。
【００６８】
しかしながら、実際には、カウンティング過程自体で、ある程度の時間を必要とするので、２個のＭＢＭＳ通知メッセージの間に、どれくらい大きい間隔が減少されることができるかに対しては、制限がある。ＵＥがＭＢＭＳ通知開始メッセージ１０５ａ及び１０５ｂを受信した後に、ＵＥは、ＲＲＣ接続要求１１３を送信しなければならない。一定の時間区間の後に、ＵＥがＩｕインターフェースを介してＭＢＭＳ ＵＥリンキング要求（ＭＢＭＳ ＵＥ Ｌｉｎｋｉｎｇ Ｒｅｑｕｅｓｔ）メッセージ１１５を受信する。従って、実際には、ＭＢＭＳ通知サイクルを少なくともメッセージ１１３及び１１５間の時間区間だけ長くしなければならない。例えば、ＵＥがＲＲＣ接続要求１１３を送信し、ＭＢＭＳ ＵＥリンキング要求メッセージ１１５を受信するのに２００ｍｓを必要とすると仮定する。この場合、上記２つの連続的なＭＢＭＳ通知メッセージ間の区間は、少なくとも２００ｍｓを必要とする。
【００６９】
ＭＢＭＳサービス情報メッセージ及びＭＢＭＳ無線ベアラー情報メッセージの構成
【００７０】
上述したように、図３を参照して、ＭＢＭＳサービス情報は、２つのメッセージに含まれてＲＮＣからＵＥへ送信される。上記２つのメッセージは、１つのセルで使用可能なすべてのＭＢＭＳサービスに対してＵＥに通知するために使用され、ＭＴＣＨに関連した無線ベアラー情報に対してＵＥへ送信するために使用される。上記２つのメッセージは、ＭＢＭＳサービス情報（ＭＢＭＳ ＳＥＲＶＩＣＥ ＩＮＦＯＲＭＡＴＩＯＮ）メッセージ１０７及びＭＢＭＳ無線ベアラー情報（ＭＢＭＳ ＲＡＤＩＯ ＢＥＡＲＥＲ ＩＮＦＯＲＭＡＴＩＯＮ）メッセージ１０９である。
【００７１】
３ＧＰＰ標準（ＴＳ ２５．３４６）に従うと、ＭＢＭＳサービスにおいて、ＭＢＭＳサービス情報メッセージが移動性を支援するために周期的に送信される。上記ＭＢＭＳサービス情報メッセージは、ＭＢＭＳサービスＩＤ及び一対多指示子を含む。ＭＢＭＳサービスＩＤは、セルからサービスされるＭＢＭＳサービスを示すか、又は、ＵＥが要求する場合にサービスされることができるＭＢＭＳサービスを示す。一対多指示子は、ＭＢＭＳサービスがセルから一対多モードで提供されていることを示し、ＵＥにＭＢＭＳ無線ベアラー情報メッセージを受信しなければならないことを通知する。さらに多くの情報がＭＢＭＳサービス情報メッセージに含まれてよい。
【００７２】
ＭＢＭＳ無線ベアラー情報は、ＭＢＭＳサービスに対するＭＢＭＳサービスＩＤと、論理チャンネルと、送信チャンネルと、物理チャンネル情報とを含む。さらに多くの情報がＭＢＭＳ無線ベアラー情報に含まれてよい。
【００７３】
３ＧＰＰ標準（ＴＳ ２５．３４６）において、２つのメッセージのコンテンツ（contents）及び構成に関する情報が希薄であっても、上記２つのメッセージ、すなわち、ＭＢＭＳ無線ベアラー情報メッセージだけではなく、ＭＢＭＳ無線ベアラー情報がサービスＩＤを含むことが上記３ＧＰＰ標準に開示されていることに留意しなければならない。
【００７４】
しかしながら、効率的な方式にて、ＭＢＭＳ情報に関するメッセージのコンテンツ及び構成を設定することが重要である。特に、２つのメッセージ間の情報の分配は、情報の重複を防止するために重要である。例えば、上記２つのメッセージで、サービスＩＤ又は他の情報の重複が無線資源の浪費をもたらすことがある。
【００７５】
第２の実施形態
【００７６】
下記では、２つのＭＢＭＳ情報メッセージのコンテンツ及び構成が設定される方法について開示する。ＭＢＭＳ情報をＭＢＭＳサービス情報とＭＢＭＳ無線ベアラー情報メッセージとに分離する特別な方法が提案され、無線ベアラー情報送信の２倍、あるいは、それ以上の重複を防止する方法が記載されている。
【００７７】
本発明の望ましい第２の実施形態に従って、すべてのサービスの特定の情報が下記ＭＢＭＳサービス使用可能性（ＭＢＭＳ ＳＥＲＶＩＣＥ ＡＶＡＩＬＡＢＩＬＩＴＹ）メッセージと呼ばれる第１のメッセージのみに存在するように見えるが、無線資源の構成についての詳細な事項は、第２のメッセージ、すなわち、ＭＢＭＳ無線ベアラー情報（ＭＢＭＳ ＲＡＤＩＯ ＢＥＡＲＥＲ ＩＮＦＯＲＭＡＴＩＯＮ）メッセージに含まれる。
【００７８】
３ＧＰＰ標準に記載されているように、サービス及び資源を無線インターフェースにマッピングさせるための既存のモデルができるだけ多くＭＢＭＳのために再使用される。
【００７９】
図５は、本発明の一実施形態に従って、他のサービスと同一の方式にて、無線インターフェース上でＭＢＭＳサービス及び資源をマッピングさせる原理を示す。
【００８０】
図５の構成は、３つの異なる無線接続ベアラー２０１乃至２０３と、５つの無線ベアラー２１１乃至２１５と、４つの異なる送信チャンネル２２１乃至２２４と、２つの異なる物理チャンネル２３１及び２３２と、を含む。
【００８１】
上記ＭＢＭＳサービスのために使用されるマッピング構成は、次の通りである。１つのＭＢＭＳサービスは、１つのＲＡＢにマッピングされ、上記１つのＲＡＢは、少なくとも１つ以上のＲＢにマッピングされる。すなわち、ＲＡＢサブフロー（sub-flow）の使用が排除されない。それぞれのＲＢがＭＴＣＨ論理チャンネルに対応する。少なくとも１つ以上の論理チャンネルが１つのＦＡＣＨ送信チャンネルにマッピングされ、少なくとも１つ以上の送信チャンネルが１つの物理チャンネルにマッピングされるはずである。
【００８２】
従って、３つのＲＡＢ２１０乃至２０３の各々が１つのＭＢＭＳサービスに対応する。このような３つのＲＡＢのうちの１つのＲＡＢ（ＲＡＢ ２０１）は、３つのＲＢ２１１，２１２，２１３にマッピングされ、他の２つのＲＡＢ２０２及び２０３は、ＲＢ２１４及び２１５の各々にマッピングされる。
【００８３】
そして、ＲＢ２１１，２１２，２１５は、送信チャンネル（Transport channel；ＴｒＣｈ）２２１，２２２，２２４の各々にマッピングされ、ＲＢ２１３及び２１４の両方とも送信チャンネル２２３に対応する。
【００８４】
さらに、送信チャンネル２２１，２２２，２２３は、すべて物理チャンネル（Physical channel；ＰｈＣｈ）２３１に対応し、送信チャンネル２２４は、物理チャンネル２３２にマッピングされる。
【００８５】
図５は、例えば、物理チャンネルが複数の送信チャンネルを送信（carry）することができ、送信チャンネルが複数のＲＢを送信することができることを示す。
【００８６】
上記送信チャンネルは、ＲＢマッピング情報内に指示されている。上記送信チャンネル識別子は、物理チャンネルの範囲内では、固有であるので、上記送信チャンネル識別子及び第２の共通制御物理チャンネル（Secondary Common Control Physical Channel；Ｓ−ＣＣＰＣＨ）識別子のすべては、ＲＢマッピング情報に含まれなければならない。
【００８７】
複数のＭＢＭＳサービスは、同一の無線ベアラーの構成を使用することができる。送信チャンネルの構成に対しても同一に適用される。これに対する効率的なシグナリングの支援のために、ＭＢＭＳ無線ベアラー情報が多い、あらかじめ定義された無線ベアラーと送信チャンネルの構成と、を含む。それぞれのサービスのために、ＭＢＭＳ無線ベアラー情報メッセージに列挙されたＭＢＭＳサービス使用可能性メッセージは、無線ベアラー構成のうちの１つ、送信チャンネル構成のうちの１つ、物理チャンネルのうちの１つに対するポインタを含む。図３及び図４を参照すると、ＭＢＭＳ無線ベアラー情報メッセージだけでなく、ＭＢＭＳサービス使用可能性情報もＭＣＣＨチャンネルを介して送信される。
【００８８】
このように、ＭＢＭＳ一対多ベアラーを設定するために必要とされる情報をシグナリングする効率的な方法は、２種類の異なる見地によってなされることができる。
【００８９】
一番目に、ＭＢＭＳサービス使用可能性メッセージ以外に、ＭＢＭＳ無線ベアラー情報メッセージは、サービスＩＤを含まないので、サービス識別子の重複を避けることができる。従って、ＭＣＣＨを介して送信されるデータの量が非常に減少されることができる。例えば、１６つの活性ＭＢＭＳセッションが並列に存在することを考慮して、３２ビットのサービス識別子及び６４０ｍｓのＵＥ ＤＲＸサイクルを仮定する。上述したＭＢＭＳサービス情報を分離する方式を適用することによって、ＭＣＣＨ上の送信率がほとんど１ｋｂｐｓで減少されることができる。
【００９０】
二番目に、複数のＭＢＭＳサービスが１つの無線ベアラー及び送信チャンネルの構成を共有すると、複数のＭＢＭＳサービスが同一のあらかじめ定義された無線ベアラー、送信チャンネル、及び物理チャンネルの構成を使用する場合、さらに多くの利得を得ることができる。それぞれのサービスに対する全体的な構成を反復せずも、構成エレメントは、無線ベアラー情報メッセージに一度のみ含まれる。そして、それぞれのサービスに対して、このようなあらかじめ定義された構成のうちの１つに対するポインタ（Pointer）は、サービス使用可能性メッセージに含まれる。このような方法にて、ＭＢＭＳメッセージの設定に関する情報をシグナリングすることが一層さらに効率的であることができる。
【００９１】
以下、本発明の望ましい一実施形態に従うメッセージレイアウト（Layout）に対する一例が、ＭＢＭＳサービス使用可能性メッセージに対しては、テーブル１に示され、そして、ＭＢＭＳ無線ベアラー情報メッセージに対しては、テーブル２に示される。
【００９２】
テーブル１を参照すると、ＭＢＭＳサービス使用可能性メッセージのコンテンツ及び構成が記載される。テーブル１において、符号‘>’は、階層的な構成を示すことに留意しなければならない。
【００９３】
テーブル１及びテーブル２の一番目のカラム（Column）は、上記２つのメッセージに含まれた情報エレメント又は情報のグループ名を表記する。二番目のカラムは、情報が必須的（Mandatory Present；ＭＰ）であるか、又は、選択的（Optionally Present；ＯＰ）であるか、又は、まだ合意されていないか（For Further Studies；ＦＦＳ）を示す。三番目のカラムは、リストのサイズ（size）を示し、四番目のカラムは、情報エレメントの総サイズ（ビット単位）の大まかな見積もりを示す。五番目のカラムは、異なるエレメントに対するサイズの推定に関する付加的な情報、あるいはコメントが提供される。
【００９４】
テーブル１の一番目の列（Row）にあるＭＢＭＳサービス使用可能性メッセージの最初の情報エレメントは、メッセージタイプと上記メッセージが拡張ビットを付加的に含んでいるか否かを示すメッセージタイプとを含む。次のエレメントは、提供されているすべてのＭＢＭＳサービスを列挙するサービスリストである。３２個までのＭＢＭＳサービスは、１つのセルメッセージで同時に使用可能である。上記リストは、三番目の列で列挙されるように、ＭＢＭＳサービス識別子（Identities；以下、‘ＩＤｓ’）を含み、パケット移動性管理（Packet Mobility Management；ＰＭＭ）接続が必要であるか否かと、送信モードが選択されるか否かとを示す２つの付加的なフィールド（列４及び列５）を含む。列５及び列６は、一対一であるか、又は、一対多であるかの送信モードの選択を示す。列７は、一対多無線ベアラーを設定するために必要であり、このような送信モードを用いて、ＭＢＭＳサービスのために提供されるＲＡＢ情報を含む。
【００９５】
列８は、要求された無線ベアラー情報のリストを示す。上記リストは、列９及び列１０で列挙されるように、ＲＢ識別子及びＲＢマッピング情報を含む。このような２つのフィールドは、ＭＢＭＳ無線ベアラー情報メッセージから提供されるＲＢ情報に対するポインタを提供する。上記ＲＢ識別子は、上記ＭＢＭＳ無線ベアラー情報メッセージに含まれたＲＢ構成を識別する。３２個までのＲＢは、１つのセル内の識別子であることができる。上記ＲＢマッピング情報は、上記論理チャンネルに対するポインタと、送信チャンネルに対するポインタと、ＳＣＣＰＣＨに対するポインタとを含む。すなわち、ＲＢマッピング情報は、論理チャンネルの識別子と、送信チャンネルの識別子と、ＳＣＣＰＣＨの識別子とを含む。
【００９６】
最後の列は、特定の場合に対して推定された総メッセージの長さを示す。この場合、一対一及び一対多モードの接続の個数が８であると仮定し、使用された無線ベアラーの個数が１であると仮定する。この場合、総メッセージのサイズは、次のような式によって７７１となるものと推定することができる。
【００９７】
１１＋（３４＊Ｎ＿ｐｔｐ）＋（３４＋（３＋Ｎ＿ｒｂ＊２４）＊Ｎ＿ｐｔｍ）＝７７１ ｆｏｒ Ｎ＿ｐｔｐ＝Ｎ＿ｐｔｍ＝８ ａｎｄ Ｎ＿ｒｂ＝１
【００９８】
通常の設定において、各ＭＢＭＳサービスは、１つのＲＢにマッピングされる一方、異なるサービスは、多重化が適用される同一のＦＡＣＨ、ＭＡＣ／論理チャンネルにすべてマッピングされる。この場合、ＭＡＣヘッダーで使用されるそれぞれの論理チャンネル識別子の値は、特定のＭＢＭＳサービスを識別する。
【００９９】
テーブル２を参照すると、ＭＢＭＳ無線ベアラーメッセージのコンテンツ及び構成が記載される。
【０１００】
一番目のエレメントは、メッセージタイプ（列１）を示す。この後に、メッセージは、あらかじめ定義された一対多ＲＢ情報構成、送信チャンネル構成、及び物理チャンネル構成（列２，列７，列１５）のリストを含む。
【０１０１】
ＲＢ情報は、ＲＢ識別子と、パケットデータコンバーゼンスプロトコル（Packet Data Convergence Protocol；以下、‘ＰＤＣＰ’と称する）情報と、順方向エラー訂正（Forward Error Correction；以下、‘ＦＥＣ’と称する）情報と、無線リンク制御（Radio Link Control；以下、‘ＲＬＣ’と称する）情報（列３乃至列６）とを含む。次のために、ＲＢ識別子のために必要とされるメッセージサイズは７ビットであり、ＦＥＣ情報のためには、２０ビットであり、ＰＤＣＰ情報のためには、４９ビット（ロバストヘッダー圧縮（Robust Header Compression；ＲＯＨＣ）と単一プロフィール（Profile）のような単一のアルゴリズムに対して）が要求されると仮定し、ＵＭ／ＴＭセグメンテーション（Segmentation）を使用したＲＬＣ情報のためのサイズは５ビットであり、ＲＢ情報リストに対する総サイズは、７＋８１＊Ｎ＿ｒｂで与えられると仮定する。ここで、Ｎ＿ｒｂは、上記メッセージにリストされた無線ベアラーの数を定義する。
【０１０２】
ＳＣＣＰＣＨリストは、ＳＣＣＰＣＨ識別子（列８）と、送信フォーマット組合せセット（Transport Format Combination Set；ＴＦＣＳ）（列９）と、ＦＡＣＨリスト（列１０乃至列１３）と、ＰＩＣＨ情報（列１４）とを含む。ＦＡＣＨリストは、送信チャンネル識別子と、送信フォーマットセット（Transport Format Set；ＴＦＳ）と、共通トラヒックチャンネル（Common Traffic Channel；ＣＴＣＨ ）識別子とを含む。最後のカラムに提示される推定を用いて、ＳＣＣＰＣＨリストの総サイズは、単一のＳＣＣＰＣＨに対して１４４ビットで与えられる。付加的なＳＣＣＰＣＨごとに１４０ビットが付加される。ＰＤＣＰ及びＦＥＣを含むフィールドが必須的であるか否かに対してはまだ決定されていないが、対応するパラメータがサイズの推定に含まれていることに留意しなければならない。
【０１０３】
物理チャンネル構成は、列１５の第２のＣＣＰＣＨ情報で提供される。第２のＣＣＰＣＨ情報リストの推定されたサイズは、第２のスクランブリングコード及びタイミングオフセット（Timing offset）を含んで、１４乃至２６ビットである。
【０１０４】
上述したように、通常のＭＢＭＳ構成（１つのＲＢ、ＦＡＣＨ、及びＳＣＣＰＣＨにマッピングされる１６個の活性ＭＢＭＳサービスを仮定する）に対しては、２つのメッセージのすべてが類似しているサイズを有することが分かる。
【０１０５】
ＭＢＭＳサービス使用可能性
【０１０６】
【表１】
2007518340.tif 000003
【０１０７】
ＭＢＭＳ無線ベアラー情報
【０１０８】
【表２】
2007518340.tif 000004
【０１０９】
第３の実施形態
上述した実施形態の代案で、ＭＢＭＳサービス情報メッセージと分離されたＭＢＭＳ無線ベアラー情報メッセージとを有する代わりに、１つのＭＢＭＳ情報メッセージのみを提供することによって、情報の重複を防止することができる。従って、本実施形態に従って、上述した２つのメッセージに含まれたすべてのＭＢＭＳ情報は、上述した２つの分離されたメッセージを単純に接続して使用することによって、１つのＭＢＭＳ情報メッセージに結合される。
【０１１０】
しかしながら、上述したように、２つの分離されたメッセージを有するようにする方式は、２つのメッセージのうちのいずれか１つは、他の１つのメッセージよりもさらに頻繁に送信されることができる、という付加的な長所を有する。
【０１１１】
ＭＢＭＳセッション開始の以外に、ＭＢＭＳサービスを受信する間に、ＭＢＭＳ ＳＡ及びＲＢメッセージも、ＵＥの移動性を管理するために使用される。ＲＲＣ−ＩＤＬＥ状態にあるＵＥが新たなセルへ移動すると、ＵＥは、ＭＢＭＳサービスがどのようにセルで支援されるかを認識していなければならない。上記サービスが上記新たなセルで一対多送信モードで支援されると、ＵＥは、ＭＢＭＳ ＳＡメッセージ及びＭＢＭＳ ＲＢメッセージを読み出さなければならない。その後に、ＵＥは、ＭＴＣＨチャンネルを受信することができる。
【０１１２】
一方、上記サービスが新たなセルで一対一送信方式にて支援されると、ＵＥは、ＲＲＣ接続を設定し、ＰＭＭ＿ＣＯＮＮＥＣＴＥＤ状態へ遷移して、ＭＢＭＳサービスのＲＢのために、ＲＢ ＳＥＴＵＰを待機しなければならない。このような過程は、相対的に徐々に進行される。
【０１１３】
しかしながら、ＵＥは、ＭＢＭＳサービスが一対一モードで支援されるか否かを確認するために、ＭＢＭＳ ＲＢ情報ではないＭＢＭＳ ＳＡメッセージのみを受信する必要がある。従って、新たなセルへの移動によるＵＥのサービス干渉は、ＭＢＭＳ ＲＢメッセージよりもさらに頻繁に送信されるＭＢＭＳ ＳＡメッセージをスケジューリングすることによって格段に減少されることができる。
【０１１４】
従って、１つの結合されたメッセージを有するよりは、２つの分離されたメッセージを有することによって、ＭＢＭＳ ＲＢメッセージの頻度を増加させる必要もなく、ＭＢＭＳ ＳＡメッセージの頻度を増加させることができる。このような方法にて、ＭＢＭＳ ＳＡメッセージの頻度を増加させながらも、１つのメッセージにＲＢ情報を含ませることによって発生される追加的なロードを防止することができる。
【０１１５】
上述した実施形態をＵＭＴＳのコンテキスト（Context）で開示したが、本発明は、他の類似したシステムに対しても適用されることができることを理解すべきである。ＵＭＴＳに対しては、すべてのリリース(release)に適用させることができることを理解しなければならない。
【０１１６】
上述した実施形態において、ＭＢＭＳ ＲＢ情報メッセージがＭＣＣＨを介して送信されることを開示したが、ＭＢＭＳ ＲＢ情報メッセージに指示される情報の一部は、代案としてＢＣＣＨを介しても送信されることができることを理解すべきである。例えば、ＭＣＣＨがＭＴＣＨと多重化（Multiplexed）されると、ＭＣＣＨを発見するために、ＭＣＣＨを送信するｓＣＣＰＣＨに対するｓＣＣＰＣＨ情報がＢＣＣＨを介して提供されることができる。この場合、ＭＢＭＳ ＲＢ情報メッセージは、ＭＴＣＨのマッピングを示す時に対応するｓＣＣＰＣＨ構成に対する参照を含ませることができる。しかしながら、このような多重化オプション（Option）は、送信チャンネル及び物理チャンネルの構成が相対的に静的である場合のみに使用され、そうでない場合には、ＢＣＣＨが頻繁に更新されるべきである。
【０１１７】
本発明で使用されている“メッセージ”は、指示子及びメッセージのすべてを含むように使用される。すなわち、メッセージが１つの指示子のみを含んでよいし、異なる情報エレメントを構成するメッセージを含んでよい。
【０１１８】
以上、本発明の詳細について具体的な実施形態に基づき説明してきたが、本発明の範囲を逸脱しない限り、各種の変形が可能なのは明らかである。従って、本発明の範囲は、上記実施形態に限定されるものではなく、特許請求の範囲の記載及び該記載と同等なものにより定められるべきである。
【図面の簡単な説明】
【０１１９】
【図１】本発明が結合することができる移動通信ネットワークの概略図である。
【図２】本発明が結合することができる移動通信ネットワークの概略図である。
【図３】従来技術によるＭＢＭＳセッションのメッセージングタイムライン（timeline）を示す概略図である。
【図４】本発明の一実施形態によるＭＢＭＳセッションのメッセージングタイムラインを示す概略図である。
【図５】本発明の一実施形態によるＭＢＭＳサービスのマッピングを示す概略図である。
【符号の説明】
【０１２０】
２  基地局
４  ＲＮＣ
８  ネットワーク
１２  Ｉｕインターフェース
【図１】
2007518340.tif 000005
【図２】
2007518340.tif 000006
【図３】
2007518340.tif 000007
【図４】
2007518340.tif 000008
【図５】
2007518340.tif 000009
【手続補正書】
【提出日】平成17年8月24日(2005.8.24)
【手続補正１】
【補正対象書類名】特許請求の範囲
【補正対象項目名】全文
【補正方法】変更
【補正の内容】
【特許請求の範囲】
【請求項１】
セルラー通信システムにおいて、ネットワークエレメントから複数の移動端末へブロードキャスト又はマルチキャストサービスに関するメッセージを送信する方法であって、
第１及び第２の通知メッセージを前記複数の移動端末へ送信するステップを含み、
前記第１及び第２の通知メッセージは、第１及び第２のサイクルをそれぞれ使用して時間が設定され、前記第１のサイクルの長さは、前記第２のサイクルの長さとは異なることを特徴とする方法。
【請求項２】
前記第１の通知メッセージは、マルチキャストサービスに関連した情報を受信する任意の状態にある移動端末へ通知するために使用されることを特徴とする請求項１記載の方法。
【請求項３】
前記第１の通知メッセージがマルチキャスト制御チャンネルを聴取することができるように、移動端末へ通知するために使用されることを特徴とする請求項１記載の方法。
【請求項４】
前記第１のサイクルは、最も長い不連続受信サイクルであることを特徴とする請求項１記載の方法。
【請求項５】
前記第２のサイクルは、前記第１のサイクルよりも短いことを特徴とする請求項１記載の方法。
【請求項６】
前記任意の状態は、ＲＲＣ＿Ｉｄｌｅモード、ＣＥＬＬ＿ＰＣＨ、ＣＥＬＬ−ＦＡＣＨ、及びＵＲＡ＿ＰＣＨモードの状態のうちの少なくとも１つを含むことを特徴とする請求項２記載の方法。
【請求項７】
前記第１のメッセージは、前記移動端末が前記第２のメッセージを受信するようにトリガーすることを特徴とする請求項１記載の方法。
【請求項８】
前記第２のメッセージは、ＭＢＭＳ制御チャンネル（ＭＣＣＨ）を介して送信されることを特徴とする請求項１記載の方法。
【請求項９】
前記ネットワークエレメントは、前記複数の移動端末へ前記第２のメッセージに対するスケジュールをシグナリングすることを特徴とする請求項１記載の方法。
【請求項１０】
前記ネットワークエレメントは、前記スケジュールに従って前記第２のメッセージを送信することを特徴とする請求項１記載の方法。
【請求項１１】
前記第１のメッセージがＭＢＭＳ通知指示子であることを特徴とする請求項１記載の方法。
【請求項１２】
前記第２のメッセージがＭＢＭＳ通知メッセージであることを特徴とする請求項１記載の方法。
【請求項１３】
前記複数の移動端末は、特定のマルチキャストサービスに関する前記第１のメッセージを発見した後に、スケジューリングされた通知イベントを聴取することを特徴とする請求項１記載の方法。
【請求項１４】
少なくとも１つ以上の前記第２のメッセージが前記第１のメッセージのサイクルで送信されることを特徴とする請求項１記載の方法。
【請求項１５】
セルラー通信システムにおいて、ネットワークエレメントから複数の移動端末へデータを送信するマルチキャストサービスに関するメッセージを送信する方法であって、
第１のサイクルに従って第１のメッセージを送信するステップと、
第２のサイクルに従ってマルチキャストチャンネルを介して第２のメッセージを送信するステップとを含み、
前記第１のメッセージは、特定のマルチキャストサービスに関心を有している移動端末がマルチキャストチャンネルを聴取するようにし、
前記第２のサイクルは、前記第１のサイクルとは異なることを特徴とする方法。
【請求項１６】
セルラー通信システムにおいて、ネットワークエレメントから複数の移動端末へデータを送信する一対多マルチキャストサービスを提供する方法であって、
前記ネットワークエレメントから前記複数の移動端末へ第１及び第２のメッセージを送信するステップと、
複数の構成を使用して特定のマルチキャストサービスのためのデータを送信するステップとを含み、
前記第１のメッセージは、前記複数の移動端末へ前記データを送信するための前記複数の構成を含み、
前記第２のメッセージは、一対多送信無線ベアラーを用いて提供されるマルチキャストサービスのために、特定のマルチキャストサービスのために使用される前記構成に対するポインタセットを含むことを特徴とする方法。
【請求項１７】
前記複数の構成の各々は、無線ベアラー構成と、送信チャンネル構成と、物理チャンネル構成とを含むことを特徴とする請求項１６記載の方法。
【請求項１８】
前記第１のメッセージは、マルチキャスト制御チャンネルを介して送信されることを特徴とする請求項１６記載の方法。
【請求項１９】
前記第２のメッセージは、マルチキャスト制御チャンネルを介して送信されることを特徴とする請求項１６記載の方法。
【請求項２０】
前記第１のメッセージを送信する頻度は、前記第２のメッセージを送信する頻度とは異なることを特徴とする請求項１６記載の方法。
【請求項２１】
前記第１のメッセージは、ＭＢＭＳサービス使用可能性メッセージであることを特徴とする請求項１６記載の方法。
【請求項２２】
前記第２のメッセージは、ＭＢＭＳ無線ベアラー情報メッセージであることを特徴とする請求項１６記載の方法。
【請求項２３】
通信システムにおいて、一対多ブロードキャスト又はマルチキャストサービスに関するメッセージを複数の移動端末へシグナリングする方法であって、
サービス特定情報を含む第１のメッセージを送信するステップと、
無線資源構成に関連した情報を含む第２のメッセージを送信するステップとを含み、
前記第２のメッセージは、前記サービス特定情報を含まないことを特徴とする方法。
【請求項２４】
通信システムにおいて、一対多ブロードキャスト又はマルチキャストサービスに関するメッセージを複数の移動端末へシグナリングする方法であって、
サービス特定情報を含む第１のメッセージを送信するステップと、
無線資源構成に関する情報を含む第２のメッセージを送信するステップとを含み、
前記第２のメッセージは、少なくとも１つ以上の異なるブロードキャスト、及び／又はマルチキャストサービスに対して使用されることを特徴とする方法。
【請求項２５】
前記第２のメッセージは、可能な無線ベアラー構成のリスト、可能な送信チャンネル構成のリスト、及び／又は、可能な物理チャンネルのリストを含むことを特徴とする請求項２４記載の方法。
【請求項２６】
前記第１のメッセージは、前記ベアラー構成のうちの１つ、前記送信チャンネル構成のうちの１つ、及び／又は、物理チャンネルのうちの１つに対するポインタを含むことを特徴とする請求項２５記載の方法。
【請求項２７】
前記第１のメッセージは、前記第２のメッセージよりもさらに頻繁に送信されることを特徴とする請求項２３記載の方法。
【請求項２８】
通信システムにおいて、一対多ブロードキャスト又はマルチキャストサービスに関するメッセージを複数の移動端末へシグナリングする方法であって、
サービス特定情報及び無線資源構成に関する情報を含むメッセージを送信するステップを含み、
前記無線資源構成に関する情報は、サービスＩＤを除外した複数の予め定義された無線ベアラー構成、送信チャンネル構成、及び物理チャンネルリストを含み、前記サービス特定情報は、サービスＩＤと無線ベアラー情報メッセージに列挙された無線ベアラー構成の中の一つ、送信チャンネル構成の中の一つ、及び物理チャンネルの中の１つに対するポインタを含むことを特徴とする方法。
【請求項２９】
前記ブロードキャスト又はマルチキャストサービスがマルチメディアブロードキャストマルチキャストサービス（ＭＢＭＳ）であることを特徴とする請求項１乃至請求項２８のうちのいずれか１項に記載の方法。
【請求項３０】
前記ブロードキャスト又はマルチキャストサービスがＵＭＴＳ標準に従うことを特徴とする請求項１乃至請求項２８のうちのいずれか１項に記載の方法。
【請求項３１】
ネットワーク部分及び複数の移動端末を具備するセルラー通信システムであって、前記システムは、請求項１乃至請求項２８のうちのいずれか１項に従う方法を実施するためのシステムであることを特徴とするシステム。
【請求項３２】
通信システムにおいて、ブロードキャスト又はマルチキャストサービスに関するメッセージを複数の移動端末にシグナリングする方法であって、
サービスＩＤを除外した複数の予め定義された無線ベアラー構成、送信チャンネル構成、及び物理チャンネルリストを含む無線ベアラー情報メッセージを送信するステップと、
サービスＩＤのうちの１つを含み、無線ベアラー情報メッセージに列挙された無線ベアラー構成の中の一つ、送信チャンネル構成の中の一つ、及び物理チャンネルの中の１つに対するポインタを含むサービス使用可能性メッセージを送信するステップと
を含むことを特徴とする方法。
【国際調査報告】
2007518340.tif 000010
2007518340.tif 000011
2007518340.tif 000012